(57)【要約】 【課題】  映像データの高速サーチ再生を実現する。【解決手段】  一つのビデオ・パック内に、通常再生の際に使用される画像データを記録する通常画像エリアと、高速サーチに使用される画像データを記録するサーチ画像エリアとを設ける。そして、サーチ画像エリアに記録されている画像データだけを読み取ることで高速サーチを実現する。また、高速サーチに使用される画像データは、当該画像データのみで復号可能な圧縮手法にて圧縮されているので、他の画像データを探すための処理時間が不要となり、サーチの処理速度を向上させることができる。【選択図】  図３
2005353173.tif 000002
【特許請求の範囲】
【請求項１】
パックを単位として情報が記録される情報記録媒体であって、
前記パックのそれぞれに、
通常再生の際に使用される画像データを記録する通常画像エリアと、
高速サーチに使用される画像データであって、該画像データのみで復号可能な圧縮手法にて圧縮されている画像データを記録するサーチ画像エリアと
を含むことを特徴とする情報記録媒体。
【請求項２】
前記通常画像エリアには、それぞれ所定数の画像データからなる複数の画像グループを単位として通常再生用の画像データが記録されており、前記サーチ画像エリアには、該サーチ画像エリアが属するパック内の何れかの画像グループを代表する画像データが重複して記録されることを特徴とする請求項１に記載の情報記録媒体。
【請求項３】
前記通常画像エリアには、それぞれ所定数の画像データからなる複数の画像グループを単位として通常再生用の画像データが記録されており、前記サーチ画像エリアには、該サーチ画像エリアが属するパック内の何れかの画像グループを代表する画像データと、該パックとは異なる他のパック内の何れかの画像グループを代表する画像データとが重複して記録されることを特徴とする請求項１に記載の情報記録媒体。
【請求項４】
連続するｎ（ｎは２以上の自然数。）個のパックを一つのサーチ単位とする場合に、ｎ＊ｎ個の高速サーチ用の画像データが、再生順序にしたがって、それぞれｎ個づつ各パックのサーチ画像エリアに記録されることを特徴とする請求項３に記載の情報記録媒体。
【請求項５】
ｎ＊ｎ個の前記高速サーチ用の画像データについて、ｉ（０＜＝ｉ＜＝ｎ−１））番目のパックには、再生順序にしたがって、ｉ番目からｉ＋ｎ＊ｊ（０＜＝ｊ＜＝ｎ−１）番目までｎ個おきとなる複数の画像データが含まれるように記録されることを特徴とする請求項４に記載の情報記録媒体。
【請求項６】
前記パックに含まれる複数の画像グループのうちｍ（ｍは２以上の自然数。）個の画像グループごとにひとつの画像データが代表として前記サーチ画像エリアに記録されることを特徴とする請求項２乃至５の何れかに記載の情報記録媒体。
【請求項７】
前記情報記録媒体は、磁気ディスク、光ディスク、光磁気ディスクなどのディスク型の記録媒体であることを特徴とする請求項１乃至６の何れかに記載の情報記録媒体。
【請求項８】
情報記録媒体に対してパックを単位として情報を記録する情報記録装置であって、
記録対象となる複数の画像データを、該画像データのみで復号可能な第１の圧縮手法、または他の画像データをも利用して復号可能となる第２の圧縮手法の何れかを用いて符号化する符号化手段と、
符号化された複数の前記画像データについて、通常再生の際に使用される画像データを前記パックに設けられる通常画像エリアに記録するとともに、前記第１の圧縮手法を用いて圧縮された少なくとも一つの画像データを、高速サーチの際に使用される画像データとして前記パックに設けられるサーチ画像エリアに記録する記録手段と
を含むことを特徴とする情報記録装置。
【請求項９】
情報記録媒体にパックを単位として記録されている情報を再生する情報再生装置であって、
通常再生または高速サーチを選択する選択手段と、
前記通常再生が選択されると、各パックに設けられた通常画像エリアから通常再生用の画像データを読み出し、前記高速サーチが選択されると、各パックに設けられたサーチ画像エリアから高速再生用の画像データを読み出す読出手段と、
読み出した前記画像データを記憶する記憶手段と
前記記憶手段に記憶されている前記画像データを順次読み出して再生する再生手段と
を含むことを特徴とする情報再生装置。
【請求項１０】
パックを単位として情報を編集する情報編集装置であって、
編集対象となる複数の画像データを、該画像データのみで復号可能な第１の圧縮手法、または他の画像データをも利用して復号可能となる第２の圧縮手法の何れかを用いて符号化する符号化手段と、
符号圧縮された複数の前記画像データについて、通常再生の際に使用される画像データを前記パックの通常画像エリアに格納するとともに、前記第１の圧縮手法を用いて圧縮された少なくとも一つの画像データを高速サーチ用に抽出して、前記パックのサーチ画像エリアに対して格納する格納手段と
を含むことを特徴とする情報編集装置。
【発明の詳細な説明】
【技術分野】
【０００１】
本発明は、情報記録媒体に記録された映像データの高速再生技術に関する。
【背景技術】
【０００２】
従来、映像データと音声データを圧縮したのち一定の単位で分割し、付随するデータとともに多重化して情報記録媒体に記録したり、当該情報記録媒体から映像データや音声データを再生したりする技術が知られている。
【０００３】
例えば、ＤＶＤ−ＲＯＭなどでは、映像データ、音声データ及びこれらに付随するデータを含むビデオ・オブジェクト・ユニットを単位として情報が記録されている。
【０００４】
図１１は、ＤＶＤ−ＲＯＭにおけるデータの階層構造を示す図である。圧縮された映像データ等は、ディスクのデータ記録エリア中のオーディオ・ビデオ・データエリアに記録される。オーディオ・ビデオ・データ記録エリアは、制御情報と、複数のビデオ・オブジェクト・ユニットから構成される。ＤＶＤでは、このビデオ・オブジェクト・ユニットが記録・再生・編集の単位となっている。
【０００５】
さらに、ビデオ・オブジェクト・ユニットには、データの種類に応じて複数のパックが含まれている。ビデオ・パックには映像データが格納され、オーディオ・パックには音声データが格納され、副映像パックには副映像データが格納される。ビデオ・パックには、複数のＧＯＰ（グレープ・オブ・ピクチャ）が記録される。各ＧＯＰには、Ｉピクチャ、ＰピクチャおよびＢピクチャといった１５フレームの映像データが含まれている。Ｉピクチャは、フレーム内符号化されたフレームであり、他のフレームの情報を参照しないで単独で符号化／復号化できるが、データサイズが相対的に多くなってしまう。ＰピクチャやＢピクチャは、他のピクチャの情報を利用して圧縮しているため、Ｉピクチャよりも格段にデータサイズを小さくできるが、他のピクチャがなければ復号することができない。
【０００６】
制御情報エリアに格納されているビデオ・オブジェクト・ユニットのアドレスに従い、先頭のＩピクチャのみを読み出すことでサーチ再生を行なうことができる。例えば、ＧＯＰを１５フレームで構成し、ひとつのビデオ・オブジェクト・ユニットにはひとつのＧＯＰが含まれているとすれば、先頭のＩピクチャを読み取って復号することで、１５倍速のサーチ再生を実現できる（特許文献１）。
【特許文献１】特開２００４−５６７３２号。
【発明の開示】
【発明が解決しようとする課題】
【０００７】
近年、１５倍速以上の高速なサーチが求められるようになってきた。例えば、２時間の画像が記録された光ディスクの全体をサーチしたいときに、１５倍のサーチ速度では、全てを見るために８分もかかってしまうといった課題がある。もし、７５倍の高速サーチを実現できれば、２時間の画像を１分３６秒で確認できることになり、非常に好ましいだろう。
【０００８】
しかしながら、より高速のサーチを行なう場合、ディスク上で飛び越すトラックの本数が増えるため、ピックアップの移動距離が大きくなってしまう。このように移動距離が大きくなれば、高速サーチを実現することは極めて困難である。
【０００９】
例えば、７５倍速サーチを実行するには、５つのＧＯＰ毎に１つのＩピクチャを読み取れば良いことになるが、飛び越すトラックの本数が約１５本と多くなる。これは約１２μｍの距離に相当し、レンズアクチュエータだけでは、ピックアップを移動することが困難となる。そこで、トラバースモータを用いて、ピックアップをシークさせることになるが、このシーク後には、再度フォーカスとトラッキングの調整が必要となる。この調整には、一般に、約１００ｍｓほどかかる。ところで、サーチ画像を毎秒３０フレームで表示する場合、１フレームあたりの処理時間は約３３ｍｓ以下でなければならない。よって、フォーカスとトラッキングの調整だけで約１００ｍｓも費やしたのでは、７５倍速のサーチを実現できない。なお、この再度のフォーカスとトラッキングの処理速度を改善できれば、７５倍速のサーチは可能となるはずだが、現時点では、技術的に困難であり、サーチ能力の大幅な向上を望むことは難しい。
【００１０】
このようにフォーカスとトラッキングの調整に必要となる時間が長すぎるため、データの読み出し速度を向上させたり、読み取る画像サイズを小さくしたりしたとしても、問題の解決にはならない。
【００１１】
また、ビデオ・オブジェクトやＧＯＰの構成を変えたとしても、問題の解決にはならない。例えば、７５フレームでひとつのＧＯＰを構成し、ＧＯＰの先頭のＩピクチャを１つづつ読み取ることで、７５倍のサーチが可能なように思えるかもしれない。しかしながら、７５フレーム分の画像データが同量であれば、依然として飛び越すトラックの本数は約１５本と変わらないため、シーク動作が発生することに変わりはない。よって、７５倍速以上の高速サーチは依然として実現できない。
【００１２】
そこで、本発明は、このような課題および他の課題の少なくとも一つを解決することを目的とする。なお、他の課題については明細書の全体を通して理解できよう。
【課題を解決するための手段】
【００１３】
上記課題を解決すべく、本発明によれば、パックを単位として情報が記録される情報記録媒体であって、前記パックのそれぞれに、通常再生の際に使用される画像データを記録する通常画像エリアと、高速サーチに使用される画像データを記録するサーチ画像エリアとを設けるようにする。また、高速サーチに使用される画像データは、当該画像データのみで復号可能な圧縮手法にて圧縮されていることが好ましい。
【発明の効果】
【００１４】
以上説明したように、本発明では、一つのパック内に通常再生の際に使用される画像データを記録する通常画像エリアと、高速サーチに使用される画像データを記録するサーチ画像エリアとを設けるようにしたので、サーチ画像エリアに記録されている画像データだけを読み取ることで高速サーチを実現できる。また、高速サーチに使用される画像データは、当該画像データのみで復号可能な圧縮手法にて圧縮されているので、他の画像データを探すための処理時間が不要となり、サーチの処理速度を向上させることができる。
【発明を実施するための最良の形態】
【００１５】
以下に本発明の上位概念、中位概念および下位概念の理解に役立つ一実施形態を示す。なお、以下の実施形態に含まれる概念について、そのすべてが特許請求の範囲に記載されているとは限らない。ただし、これは特許発明の技術的範囲から意識的に除外したのではなく、特許発明と均等の関係にあるため特許請求の範囲には記載していない場合があることを理解していただきたい。
【００１６】
［第１の実施形態］
図１は、本実施形態に係る情報記録装置の例示的なブロック図である。情報記録媒体であるディスク１００に記録されたＭＰＥＧ符号化データは、ピックアップ１０１により読み出され、読み出された信号がアンプ１０２で増幅される。再生信号処理装置１０３は、アンプ１０２の出力信号に等化処理や復調処理を施す。バッファメモリ１０４は、再生信号処理装置１０３からの出力を、所定のブロック単位で蓄積する。復号回路１０５は、バッファメモリ１０４からブロック単位でデータを読み出し、元の画像信号に復号して、出力装置１０６に出力する。
【００１７】
駆動回路１０７は、アンプ１０２からの再生信号を監視し、良好な再生信号が得られるようにスピンドルモータ１０８の回転数を制御したり、トラバースモード１０９を制御してピックアップ１０１のトラッキングを調整したりする。制御回路１１０は、各機能ブロックの処理を制御する。例えば、サーチ処理に必要となるサーチ画像エリアのアドレス情報などを、予めディスク１００から読み出して、ＲＡＭ１１１に記憶保持する。制御回路１１０は、サーチ処理時に、保持している各サーチ画像エリアのアドレス情報を用いて、ピックアップ１０１を所望の先頭位置にシークさせる。アドレス情報は、制御情報エリアにタイムマップとして記録される。タイムマップは、再生時間とデータサイズとを関係付けて記憶した制御データである。
【００１８】
図２は、本実施形態に係る情報記録媒体の一例を示す図である。ここでは、一例として、データ記録が可能なＤＶＤディスクを取り上げている。ディスクのディメンションは、外直径１２０ｍｍ、厚さ１．２ｍｍである。ディスクは、リードインエリア、データ記録エリア及びリードアウトエリアに分かれている。このうち、データ記録エリアに映像データと音声データが管理情報等とともに記録される。データ記録エリアの内半径は２４ｍｍ、外半径は５８ｍｍほどである。この中に、約２時間の画像データが記録される。トラックピッチは、０．７４μｍと規定されているため、データ記録エリアには、約４６０００本のトラックが構成される。なお、本実施形態においても、ビデオ・パック内の構成を除き、図１１で説明したようにフォーマットにしたがって情報が記録される。
【００１９】
図３は、本実施形態に係るビデオ・パックの構成例を示す図である。本実施形態では、複数のＧＯＰをまとめて、ひとつのビデオ・パックとし、そのビデオ・パックに１つのサーチ画像エリアを設け、その中に複数のサーチ用画像データを記録する。ビデオ・パックは、光ディスク上において、できる限り連続して記録されることが好ましい。なお、ビデオ・パックは、図１１に示したようにオーディオ・パックや副映像パックなどの情報を加えて、ビデオ・オブジェクト・ユニットを構成するが、図３では記載を省略している。
【００２０】
ここでは、ＧＯＰは従来通り、１５フレームで１ＧＯＰとし、２０ＧＯＰで１つのビデオ・パックを構成するものとする。本実施形態では、サーチ画像エリアに４つのサーチ用の画像データを記録する。図中で、サーチ用の画像データには、０番から２番までの番号を付してある。サーチ用画像データは、例えば、Ｉピクチャのように、その画像データのみで復号可能な形式で圧縮されていることが望ましい。他の画像データが必要となったのでは、それだけ処理時間が必要となり、高速サーチの妨げになるからである。
【００２１】
サーチ用画像データとしては、いずれかのＧＯＰに含まれるＩピクチャと同一のものが採用されてもよいし、Ｉピクチャよりも画質が多少劣化したものを採用してもよい。Ｉピクチャよりも画質劣化を許容した場合、符号化による圧縮率を高めることでサーチ用画像データのサイズを縮小することができる。すなわち、通常のＩピクチャよりもより、小さいデータとすることもできる。一方、Ｉピクチャをそのまま利用する場合、例えば、ｍ（ｍは自然数。この例ではｍ＝５）個のＧＯＰ毎にその先頭のＩピクチャをサーチ画像エリアに重複して記録する。サーチ画像エリアについては、従来のビデオ・オブジェクト・ユニットに用いられたような、タイムパックを作成することで、ランダムアクセスを容易にしておくことができる。タイムパックは、サーチ画像エリアについてのアドレス情報として高速サーチの際に利用できる。
【００２２】
図４は、本実施形態に係るサーチ動作の一例を示す図である。この図において、各ビデオ・パック４０１〜４０５には、それぞれ先頭にサーチ画像エリア４１１〜４１５が設けられている。各サーチ画像エリア４１１〜４１５には、それぞれ複数（この例では４個）のサーチ用画像データが含まれている。各サーチ用画像データに付されている番号（０〜１９）は、再生順序を示している。
【００２３】
本実施形態では、ピックアップ１０１および再生信号処理回路１０３などの読出手段によって読み出されたサーチ用画像データは、バッファメモリ１０４に一旦格納される。そして、バッファメモリ１０４に格納されている画像データを復号回路１０５によって復号することにより、シーク処理と並行して表示等を行なうことが可能となる。本実施形態では、このバッファメモリ１０４として、ＦＩＦＯ（Ｆｉｒｓｔ Ｉｎ Ｆｉｒｓｔ Ｏｕｔ）メモリを採用しているので、バッファメモリ１０４に入力された順にしたがって、サーチ用画像データが復号されて表示される。
【００２４】
７５倍速のサーチを実行する場合、制御回路１１０は、サーチ画像エリア４１１に記録されているサーチ用画像データ０〜３をピックアップ１０１等により全て読み取らせ（白抜き矢印）、一旦バッファメモリ１０４に記憶させる。次のビデオ・パック４０２のサーチ画像エリア４１２までは、ＧＯＰ等のデータを読み飛ばす（黒矢印）。すなわち、最初のサーチ画像エリアに記録されている０番から３番の４つのサーチ用画像データをまとめて読み取ったら、ピックアップ１０１を移動させ、次のサーチ画像エリア４１２の４番から７番のサーチ用画像データを読み取る。これと並行して、制御回路１１０は、バッファメモリ１０４に記憶されている画像データを順に読み出して、復号回路１０５に付与して復号し、出力装置１０６において表示を行なう。
【００２５】
ここで、シーク動作に必要となる時間を説明する。本実施形態では、サーチ用画像データを４つづつ読み込んでいる。サーチ用画像データを毎秒３０フレームで表示すると仮定すると、１フレームあたり３３ｍｓの処理時間となる。よって、読み込んだ４つのサーチ用画像データを表示するために必要となる時間は、４＊３３ｍｓ＝１３２ｍｓとなる。一方、１つのビデオ・パックには、２０ＧＯＰのデータが格納されている。１ＧＯＰには１５フレームが含まれているので、３００フレーム分の画像データが記録されていることになる。このデータ量は、トラック本数にして、約６４トラックに相当し、約５０μｍの移動が必要となる。シーク動作では、まずトラバースモータ１０９によるピックアップ１０１の移動が行われるが、ピックアップ１０１をディスクの端から端まで移動させたとしても数ｍｓ（せいぜい１０ｍｓ）の時間で足りる。これに、ピックアップ１０１のレンズアクチュエータによるフォーカスとトラッキングの再調整を行なうための時間が１００ｍｓほどかかる。よって、シーク動作は、約１１０ｍｓ程度の時間で終了できる。
【００２６】
表示に必要となる時間１３３ｍｓからシーク動作に関連する時間１１０ｍｓを減算して得られる残り時間である２２ｍｓ以内にサーチ用画像データを全て読み取ることができれば、７５倍速の高速サーチ再生を実現できる。本実施形態では、４つのサーチ用画像データを読み込んでいるので、１画像あたり５．５ｍｓで読み込めればよい。これは、データの読み出し速度が十分に速いか、サーチ用画像データのサイズがその分小さければ実現できる。サーチ用画像データがＩピクチャサイズであるとすると、通常速（１倍速）では、読み出しに１００ｍｓかかるので、約１８倍速で読み取れば５．５ｍｓを達成できる。また、従来の４倍速サーチと同等の読み出し速度でしか読み出し手段が画像データを読み取ることができない場合には、サーチ画像が、Ｉピクチャよりも１／５のデータ量であれば、７５倍速の高速サーチを実現できる。これは、サーチ用画像として、十分な画質が得られるデータ量でもある。
【００２７】
このように、読み出し速度とサーチ用画像データのサイズは、トレードオフの関係にある。スピンドルモータ１０８やトラバースモータ１０９などの読み出し手段が高速になれば、サーチ用画像データのサイズを大きくできるため、表示される画像の品質も上昇させることができる。一方で、読出手段の読み出し速度が高速でなくとも、サーチ用画像データのサイズを小さくすることで、表示される画像の品質は相対的に低下するものの、７５倍速のサーチを実現できる。
【００２８】
本実施形態によれば、サーチ用画像データを読み取って、シーク動作を行ったのち、次のサーチ用画像データを読み取るまでの時間は、読み込んだ複数のサーチ用画像データを表示するための時間よりも短い。したがって、複数のＧＯＰをまとめて、ひとつのビデオ・パックとし、そのビデオ・パックに１つのサーチ画像エリアを設け、その中に複数のサーチ用画像データを記録することで、例えば、７５倍速以上の高速サーチを実現できるのである。
【００２９】
［第２の実施形態］
第１の実施形態では、ビデオ・パック内の通常画像エリアには、それぞれ所定数（例：１５フレーム）の画像データ（Ｉピクチャ、Ｐピクチャ、Ｂピクチャ）からなる複数（例：２０個）の画像グループ（ＧＯＰ）を単位として通常再生用の画像データが記録される。さらに、サーチ画像エリアには、例えば、５つのＧＯＰごとに先頭となるＩピクチャなど、該サーチ画像エリアが属するパック内の何れかの画像グループを代表する画像データが重複して記録されるものであった。
【００３０】
第２の実施形態では、さらに、サーチ画像エリアに記録されるサーチ用画像データに配置について改良する。例えば、サーチ画像エリアには、当該サーチ画像エリアが属するビデオ・パック内の何れかの画像グループを代表する画像データと、該パックとは異なる他のパック内の何れかの画像グループを代表する画像データとが重複して記録されるようにする。
【００３１】
より具体的に、第２の実施形態では、それぞれサーチ画像エリアを有するｎ個（複数）のビデオ・パックを一つの論理単位とする。この論理単位を、説明の便宜上、高速サーチ単位と呼ぶことにする。そして各ビデオ・パックのサーチ画像エリアには、その再生順序がｎ個飛ばしとなるサーチ用画像データが配置される。
【００３２】
すなわち、連続するｎ（ｎは２以上の自然数。）個のパックを一つのサーチ単位とするので、ｎ＊ｎ個の高速サーチ用の画像データが、再生順序にしたがって、それぞれｎ個づつ各ビデオ・パックのサーチ画像エリアに記録されることになる。
【００３３】
また、ｎ＊ｎ個の高速サーチ用の画像データについて、ｉ（０＜＝ｉ＜＝ｎ−１））番目のパックには、再生順序にしたがって、ｉ番目からｉ＋ｎ＊ｊ（０＜＝ｊ＜＝ｎ−１）番目までｎ個おきとなる複数の画像データが含まれるように記録される。ここで、ｉとｊは０以上の整数であり、１づつインクリメントされる。
【００３４】
図５は、第２の実施形態に係るサーチ画像エリアに記録されるサーチ用画像データの再生順序を示した図である。この例では、４つのビデオ・パック５０１、５０２、５０３及び５０４を１つの高速サーチ単位５０５とする。各ビデオ・パックには、サーチ画像エリアが設けられている。サーチ画像エリアには、２０個のＧＯＰが含まれており、さらに各ＧＯＰは、１５フレームの画像データから構成されているものとする。
【００３５】
図６は、第２の実施形態に係る各サーチ画像エリア中のサーチ用画像データの配置を示した図である。ビデオ・パック５０１〜５０４には、それぞれ対応するサーチ画像エリア６０１〜６０４が設けられている。本実施形態では、４つのビデオ・パックを１つの高速サーチ単位としたので、各サーチ画像エリアには、再生順序が４個飛ばしとなるようにサーチ用画像データが記録される。具体的には、第１（上述のｉ＝０の場合）のサーチ画像エリア６０１には、再生順序が０（ｎ＝４、ｊ＝０）、４（ｎ＝４、ｊ＝１）、８（ｎ＝４、ｊ＝２）、１２（ｎ＝４、ｊ＝３）番目となるサーチ用画像データが記録される。すなわち、０、４、８、１２番目のサーチ用画像データが一組となっている。以下同様に、第２のサーチ画像エリア６０２には、１、５、９、１３番目の画像データが記録され、第３のサーチ画像エリア６０３には、２、６、１０、１４番目の画像データが記録され、第４のサーチ画像エリア６０１には、３、７、１１、１５番目の画像データが記録される。
【００３６】
同様に、次の高速サーチ単位に含まれる第６のビデオ・パック６１１に含まれるサーチ画像エリア６２１には、１６、２０、２４、２８番目のサーチ用画像データが記録される。以下、同様にサーチ画像が配置される。
【００３７】
本実施形態では、このような順番で配置されたサーチ用画像データを、図１に示した情報記録再生装置により表示する。
【００３８】
まず、図６を用いて、７５倍速のサーチ動作を行なう場合を説明する。この場合、制御回路１１０は、駆動回路１０７、スピンドルモータ１０８およびトラバースモータ１０９などの読出手段を制御し、高速サーチ単位５０５に含まれる４つのサーチ画像エリア６０１〜６０４に記録されているサーチ用画像データを全て読み出し（白抜き矢印）、一旦バッファメモリ１０４に記憶する。第１のビデオ・パック５０１に記録されている０、４、８、１２番のサーチ用画像データをまとめて読み取ったら、次のサーチ画像エリアまでピックアップ１０１を移動する。次に第２のサーチ画像エリア６０２に記録されている１、５、９、１３番のサーチ用画像データを読み出し、再びピックアップ１０１を移動する。さらに、第３のサーチ画像エリア６０３に記録されている２、６、１０、１４番のサーチ用画像データを読み出し、再度ピックアップ１０１を移動する。さらに、第４のサーチ画像エリア６０４に記録されている３、７、１１、１５番のサーチ用画像データを読み取る。読み取られたサーチ用画像データは、読み取られた順番にしたがって、一旦、バッファメモリ１０４に記憶される。
【００３９】
制御回路１１０は、バッファメモリ１０４からを再生順番にしたがってサーチ用画像データを読み出して復号回路１０５に付与し、復号及び表示を行なう。すなわち、制御回路１１０は、０、１、２、３番目のサーチ用画像データを読み出し、次に４、５、６、７番目のサーチ用画像データを読み出し、次に８、９、１０、１１番目のサーチ用画像データを読み出し、最後に１２、１３、１４、１５番目のサーチ用画像データを読み出す。このように、表示順番にしたがってサーチ用画像データを並び替えることにより、高速サーチ単位内で飛び飛びに記録されているサーチ用画像データを、再生順序にしたがって表示することができる。なお、この間に、ピックアップ１０１は、次の高速サーチ単位に含まれるビデオ・パックのサーチ画像エリア６２１に移動する。これを繰り返すことで、７５倍速の高速サーチを実現できる。
【００４０】
本実施形態に係る７５倍速サーチによれば、第１の高速サーチ単位５０５に含まれる全てのサーチ用画像データを読み出し、第２の高速サーチ単位に移動するまでに、ピックアップ１０１がシーク動作を行なう回数は、４回である。すなわち、シーク動作に必要な時間は、４＊１１０＝４４０ｍｓである。一方、１６枚のサーチ画像を表示するために必要となる時間は、３３＊１６＝５２８ｍｓである。結果として、１６枚のサーチ画像の読み出しが、５２８−４４０＝８８ｍｓ以内に完了すれば、高速サーチを実現できることになる。これは一画像データあたり５．５ｍｓに相当する。第１の実施形態で説明したように、データの読み出し速度を十分に速くするか、サーチ用画像データのサイズを十分に小さくできれば、５．５ｍｓは達成可能である。
【００４１】
図７は、１５０倍速の高速サーチを実行する際の処理を説明するための図である。この場合、必要なサーチ用画像データは、７５倍速サーチと比較し、半分の数でよい。例えば偶数番のサーチ用画像データを読み取って表示すればよい。図６に示した例によれば、高速サーチ単位に含まれるサーチ用画像データのうち再生順序が偶数番目のものは、２つのサーチ画像エリア６０１、６０３に集中している。したがって、高速サーチ単位のうち、２つのサーチ画像エリア６０１、６０３に記録されたサーチ用画像データを読み取って表示すれば良い。
【００４２】
制御回路１１０は、偶数番目のサーチ用画像データが含まれるサーチ画像エリア６０１、６０３を全て読み出し（白抜き矢印）、読み取ったサーチ用画像データを、読み取った順番にしたがって、一旦バッファメモリ１０４に記憶する。すなわち、第１のビデオ・パック５０１に記録されている０、４、８、１２番のサーチ用画像データをまとめて読み取ったら、ピックアップ１０１を移動させ、次のサーチ画像エリア６０３の２、６、１０、１４番のサーチ用画像データを読み取るのである。
【００４３】
高速サーチ単位５０５に含まれている読み出し対象のサーチ用画像データを全てバッファメモリ１０４に記憶したのち、制御回路１１０は、表示順番にしたがって、バッファメモリ１０４からサーチ用画像データを読み出して復号回路１０５に付与することで、復号及び表示を行なう。すなわち、バッファメモリ１０４から０、２番目のサーチ用画像データを読み出し、次に４、６番目のサーチ画像を読み出し、次に８、１０番目のサーチ用画像データを読み出し、次に１２、１４番目のサーチ画像を読み出す。これにより、高速サーチ単位内に分けて記録されているサーチ用画像データを、再生順序にしたがって表示することができる。復号・表示処理と並行して、ピックアップ１０１は、次の高速サーチ単位に含まれるビデオ・パックのサーチ画像エリアに移動する。これを繰り返すことで、１５０倍速の高速サーチが実現できる。
【００４４】
本実施形態に係る１５０倍速サーチの場合、高速サーチ単位内の全てのサーチ用画像データを読み出し、次の高速サーチ単位に移るまでに、ピックアップ１０１がシーク動作を行なう回数は、２回である。すなわち、シーク動作に必要な時間は、２＊１１０＝２２０ｍｓである。一方、８枚のサーチ用画像データを表示する時間は、３３＊８＝２６４ｍｓである。結果として、８枚のサーチ用画像データの読み出しが、２６４−２２０＝４４ｍｓ以内で完了すればよいことになる。これは一枚当り５．５ｍｓに相当するから、上述したように、データの読み出し速度を十分に速くするか、サーチ用画像データのサイズを十分に小さくれすれば、１５０倍速サーチを実現できることになる。
【００４５】
図８は、３００倍速サーチを説明するための図である。この場合、必要なサーチ用画像データは、７５倍速サーチに比較し、１／４の数でよい。例えば、４の倍数となる再生順序のサーチ用画像データを読み取って表示すればよい。図８の例では、高速サーチ単位に含まれるサーチ用画像データのうち、再生順序が４の倍数となるものは、一つのサーチ画像エリア６０１に集中している。したがって、高速サーチ単位のうち１つのサーチ画像エリアに記録されているサーチ用画像データを読み取って表示すれば、３００倍速の高速サーチを実現できる。
【００４６】
制御回路１１０は、サーチ画像エリア６０１から再生順序が４の倍数となるサーチ用画像データを読み出し（白抜き矢印）、これら４つのサーチ用画像データを、読み取った順序にしたがって、一旦バッファメモリ１０４に記憶する。すなわち、最初のビデオ・パック５０１に記録されている０、４、８、１２番のサーチ用画像データをまとめて読み取る。制御回路１１０は、バッファメモリ１０４に記憶されているサーチ用画像データを順に読み出して復号回路１０５に付与することで、復号及び表示を行なう。この場合は、バッファメモリ１０４に記憶した順序が、そのまま再生順序になっているので、並べ替え処理は省略できる。
【００４７】
表示処理等と並行して、ピックアップ１０１は、次の高速サーチ単位に含まれるビデオ・パックのサーチ画像エリアに移動する。これを繰り返すことで、３００倍速の高速サーチが実現される。
【００４８】
本実施形態に係る３００倍速サーチによれば、ある高速サーチ単位に含まれるサーチ用画像データを読み取って、次の高速サーチ単位に移るまでに、ピックアップ１０１がシーク動作を行なう回数は、１回である。すなわち、シーク動作に必要となる時間は、１＊１１０＝１１０ｍｓである。一方、４枚のサーチ画像を表示する時間は、３３＊４＝１３２ｍｓである。結果として、４枚のサーチ画像の読み出しが、１３２−１１０＝２２ｍｓ以内で完了すればよい。これは一枚当り５．５ｍｓに相当するので、上述したように、データの読み出し速度を十分に速くするか、サーチ用画像データのサイズを十分に小さくれすれば、１５０倍速サーチを実現できることになる。
【００４９】
以上説明したように、本実施形態では、ｎ（ｎは２以上の自然数）個のビデオ・パックを高速サーチ単位として定義する。そして、各サーチ画像エリアには再生順序がｎ個飛ばしとなるｎ個のサーチ用画像用データを配置する。これにより高速サーチを実現できる。例えば、ｎを４とすれば、７５倍速に加え、１５０倍速および３００倍速といった高速サーチも簡単に実現できる。
【００５０】
［第３の実施形態］
本実施形態では、上述した情報記録媒体を作成するための情報記録装置について説明する。
【００５１】
図９は、本実施形態に係る情報記録装置の例示的なブロック図である。制御回路９１０は、入力装置９０６から入力された素材映像データを符号化回路９０５において符号化する。ＭＰＥＧ記録方式の場合は、素材映像データからＩピクチャ、ＰピクチャおよびＢピクチャをそれぞれ生成する。符号化回路９０５は、他の画像データを必要とせずに復号可能な第１の圧縮手法を用いてＩピクチャを生成し、他の画像データをも利用して復号可能となる第２の圧縮手法を用いてＰピクチャやＢピクチャを生成する。
【００５２】
符号回路９０５から出力される符号化された画像データは、書き込み用バッファ９０４に蓄積される。制御回路９１０は、図３および図４、または図５および図６に説明した記録フォーマットにしたがって記録用データを作成する。例えば、バッファ９０４から、Ｉピクチャ、ＰピクチャおよびＢピクチャを読み出してＧＯＰを生成する。さらに、制御回路９１０は、いくつかの（例えば２０個）ＧＯＰをまとめてビデオ・パックを生成する際に、ｍ（ｍは２以上の自然数。例えば、５など）個のＧＯＰごとにひとつのＩピクチャを代表として選択する。制御回路９１０は、選択したＩピクチャをサーチ用画像データとして、処理中のビデオ・パックのサーチ画像エリアに格納する。
【００５３】
サーチ用画像データをサーチ画像エリアに格納する際の格納順序は、第１の実施形態や第２の実施形態で説明したとおりである。例えば、連続するｎ（ｎは２以上の自然数。）個のビデオ・パックを一つのサーチ単位とする場合に、制御回路９１０は、ｎ＊ｎ個の高速サーチ用の画像データを、再生順序にしたがって、それぞれｎ個づつ各ビデオ・パックのサーチ画像エリアに記録する。一方、第２の実施形態によれば、制御回路９１０は、ｎ＊ｎ個の前記高速サーチ用の画像データについて、ｉ（０＜＝ｉ＜＝ｎ−１））番目のビデオ・パックには、再生順序にしたがって、ｉ番目からｉ＋ｎ＊ｊ（０＜＝ｊ＜＝ｎ−１）番目まで、ｎ個おきとなる複数の画像データが含まれるように記録する。
【００５４】
なお、ディスク９００への記録の際には、制御回路９１０は、バッファ９０４から適宜に符号化データを読み出して、記録回路９０２に与える。そして、制御回路９１０は、記録回路９０２から記録用の信号を書き込みレーザー９０１に付与するとともに、トラバースモータ９０９やスピンドルモータ９０８を制御して、記録用の信号をディスク９００に書き込んでゆく。結果として、ディスク９００には、図３および図４または図５および図６に示したようにデータが記録されてゆく。この際に、制御情報エリアに格納されるタイムマップを、制御回路９１０が作成して、ディスク９００に記録してもよい、
ディスク９００は、ＤＶＤ−Ｒ、ＤＶＤ−ＲＷ、ＤＶＤ＋Ｒ、ＤＶＤ＋ＲＷだけでなく、ＤＶＤ−ＲＡＭを使用してもよい。もちろん、ＣＤ−Ｒ、ＣＤ−ＲＷ、ブルーレイディスク等であってもよい。これは、一例に過ぎず、本発明によれば、磁気ディスク、光ディスク、光磁気ディスクなどのディスク型の記録媒体を採用することができる。
【００５５】
さらに、ディスクイメージを最初に作成してプレス加工等により、ＤＶＤ−ＲＯＭ等の読み込み専用情報記録媒体を作成してもよい。この場合、ＤＶＤ−ＲＯＭ製造装置も本発明の情報記録装置に該当しよう。
【００５６】
情報記録装置がディスク記録媒体を採用するビデオカメラであれば、素材映像データの撮影時にサーチ用画像データをディスク９００に記録してもよいが、撮影後にサーチ用画像データを記録するようにしてもよい。後者の場合、撮影時には、サーチ画像エリアを未記録のままとし、撮影終了後に、ディスク９００に記録されているＩピクチャなどの画像データから、サーチ用画像データを作成し、サーチ画像エリアに記録することになろう。
【００５７】
以上説明したように、本実施形態によれば、高速サーチ可能な情報記録媒体を作成する情報記録装置が提供される。
【００５８】
［他の実施形態］
第２の実施形態では、サーチ順序がｎ個飛ばしとなるサーチ用画像データの組をｎの剰余順に並べる例を紹介した。しかしながら、本発明はこの順序に限定されることはない。
【００５９】
図１０は、サーチ用画像データの他の配置例を示した図である。図６と比較すると、ビデオ・パック９０１と、９０４は、それぞれ図６のビデオ・パック５０１と５０４に相当する。しかしながら、ビデオ・パック９０２には、ビデオ・パック５０３のサーチ用画像データ（２、６、１０、１４）が含まれ、ビデオ・パック９０３には、ビデオ・パック５０３のサーチ用画像データ（１、５、９、１３）が含まれている。すなわち、図６のビデオ・パック５０２のサーチ用画像エリアと、ビデオ・パック５０３のサーチ用画像エリアの内容が入れ替わっている。個の場合であっても、シーク動作にかかる時間は、ほぼ変わりがない。よって、第２の実施形態と同様の高速サーチを実現できる。
【００６０】
同様の理由で、高速サーチ単位を構成する複数のビデオ・パックは、光ディスク上で隣接する位置に記録されている必要はない。すなわち、高速サーチ単位は、論理単位に過ぎないのである。
【００６１】
上述の実施形態では、ＭＰＥＧ形式を一例として取り上げたが、本発明は他の符号化方式にも適用することができる。
【００６２】
以上、様々な実施形態を詳述したが、本発明は、複数の機器から構成されるシステムに適用してもよいし、また、一つの機器からなる装置に適用してもよい。例えば、ＤＶＤ再生装置、ＤＶＤレコーダ、ＤＶＤビデオカメラとして実現してもよいし、ＤＶＤ−ＲＯＭドライブを内蔵しまたは外部に接続したパーソナルコンピュータや、ＤＶＤ記録ドライブを内蔵しまたは外部に接続したパーソナルコンピュータによって実現されてもよい。
【００６３】
また、本発明は、ＤＶＤ編集ソフトとして実現されてもよい。すなわち、ＤＶＤ編集ソフトには、上述したディスクイメージを作成する処理までの機能が含まれることになる。すなわち、当該ＤＶＤ編集ソフトがインストールされたコンピュータが情報編集装置として機能することになる。この場合、第３の実施形態で説明した制御回路９１０、符号化回路９０５などの処理はＣＰＵが担当することになる。バッファ９０４の機能や作業エリアは、ＲＡＭが担当する。ＤＶＤ編集ソフトはＲＯＭまたはハードディスクドライブに記憶されることになる。
【００６４】
サーチ用画像データの再生順序は、タイムマップ等の制御情報により管理してもよいし、予め情報記録装置や情報再生装置において既知としてもよい。後者の場合は、何らかの形で標準化しておくことが望ましいだろう。
【図面の簡単な説明】
【００６５】
【図１】図１は、実施形態に係る情報記録装置の例示的なブロック図である。
【図２】図２は、実施形態に係る情報記録媒体の一例を示す図である。
【図３】図３は、第１の実施形態に係るビデオ・パックの構成例を示す図である。
【図４】図４は、第１の実施形態に係るサーチ動作の一例を示す図である。
【図５】図５は、第２の実施形態に係るサーチ画像エリアに記録されるサーチ用画像データの再生順序を示した図である。
【図６】図６は、第２の実施形態に係る各サーチ画像エリアにおけるサーチ用画像データの配置を示した図である。
【図７】図７は、１５０倍速の高速サーチを実行する際の処理を説明するための図である。
【図８】図８は、３００倍速サーチを説明するための図である。
【図９】図９は、第３の実施形態に係る情報記録装置の例示的なブロック図である。
【図１０】図１０は、サーチ用画像データの他の配置例を示した図である。
【図１１】図１１は、ＤＶＤ−ＲＯＭにおけるデータの階層構造を示す図である。
【図１】
2005353173.tif 000003
【図２】
2005353173.tif 000004
【図３】
2005353173.tif 000005
【図４】
2005353173.tif 000006
【図５】
2005353173.tif 000007
【図６】
2005353173.tif 000008
【図７】
2005353173.tif 000009
【図８】
2005353173.tif 000010
【図９】
2005353173.tif 000011
【図１０】
2005353173.tif 000012
【図１１】
2005353173.tif 000013